(57)【特許請求の範囲】
【請求項１】
一端に光源用ケースを、他端に光反射装置用ケースを取り付けた光導通路形成用管体とからなるコンクリート打設金物を、コンクリート壁を打設成形するために壁面の両側に設置した型枠板の間に連結固定し、これらの型枠板の間にコンクリートを打設することによってコンクリート壁を形成するのと同時に、コンクリート壁内に壁外面から発光する装置を設置するための空間を形成する壁面発光装置の形成方法。
【請求項２】
光導通路形成用管体の両端に、光源取付用の空間形成部材と発光反射部材取付用の空間形成部材を設けてなる壁面発光装置形成用コンクリート打設金物。
【発明の詳細な説明】
【技術分野】
【０００１】
この発明は、コンクリートの外壁から光を発する装置の取り付け空間をコンクリー壁の打設と同時に形成する打設装置に関する。
【背景技術】
【０００２】
近年、ＬＥＤは、低い電力消費性、高い照度を有し、長寿命であり、さらには、取り付けが簡単である等の利点から、従来の発熱電灯、蛍光灯に代えて、ＬＥＤが用いられるようになり、各種建築材への適用が図られるようになり、本願出願人は、特許文献１において、波形スレートにＬＥＤを施した壁面材を開示した。
【０００３】
さらに、ＬＥＤ光源により居住空間を照明するための照明器具も、特許文献２に開示されている。
【０００４】
しかしながら、壁面に発光面を形成するためには、種々制約があって、照明源としてＬＥＤを利用するにしても簡単に実用化することは困難である。
【先行技術文献】
【特許文献】
【０００５】
【特許文献１】意匠登録第１３７４９７６号
【特許文献２】特開２００７−１７２８９５
【発明の概要】
【発明が解決しようとする課題】
【０００６】
この発明の課題は、比較的簡単にコンクリート壁の外面に発光手段を設けることにある。
【課題を解決するための手段】
【０００７】
この発明は、一端に光源用ケースを、他端に光反射装置用ケースを取り付けた光導通路形成用管体とからなるコンクリート打設金物を、コンクリート壁を打設成形するために壁面の両側に設置した型枠板の間に連結固定し、これらの型枠板の間にコンクリートを打設することによってコンクリート壁を形成するのと同時に、コンクリート壁内に壁外面から発光する装置を設置するための空間を形成する。
【発明の効果】
【０００８】
本発明によって、壁面のコンクリート打設と同時に壁面照明のために必要な構成空間を形成できるために、光源、光導通路、光反射装置等からなる壁面発光装置を設置するための空間を改めて形成する必要がない。
【０００９】
とくに、この発明によって、コンクリート壁の打設と同時に形成される発光用装置のための空間は、ＬＥＤ光源からの光のように直進性に優れた光を発生する光源の利用に適したものである。
【図面の簡単な説明】
【００１０】
【図１】発光装置形成用コンクリート打設金物を示す。
【図２】壁厚調整材を示す。
【図３】発光装置形成用コンクリート打設金型の組立図を示す。
【図４】発光装置形成用金型を使用したコンクリート壁の打設時の状態を示す。
【図５】コンクリート打設ののち壁内に形成した発光装置を装着する空間を示す。
【図６】壁面照明のための空間内に、必要な装置を設置した状態を示す。
【図７】壁内に形成された発光装置の構成図を示す。
【図８】発光装置の先端の反射発光面の形態を示す。
【発明を実施するための形態】
【００１１】
以下、この発明の実施の形態を図に示す実施例によって説明する。
【実施例】
【００１２】
図１は、この発明に基づいて、発光装置のための所用空間をコンクリート壁の打設と同時にコンクリート壁を形成するために型枠板間に配置固定される打設金物１を示す。
【００１３】
この打設金物１は、図２に示す壁厚調整材１１、通称、セパＰコンに、図３に示す発光装置形成用金型１２を取り付けたもので、型枠板の間にコンクリートを打設に際して、形成した壁を鋼管によって強化すると同時に、発光源と光導通路と反射装置を収納する空間をコンクリート内に形成する。
【００１４】
以下に、この外壁照明用コンクリート打設金物１の組立図を示す図３に基づいて、打設金物１の組立て要領を説明する。
【００１５】
図２に示す壁厚調整材１１は、図３に示すように、補強用鋼管１１１の両端に、それぞれ外方端部にネジ付きボルト１１２を有するプラスチック留具１１３がネジ止めされる構造になっている。この実施例に示すこの発明に係る打設金物１は、この従来から知られている壁厚調整材１１の構造を利用する例を示すものである。
【００１６】
また、図３において、この壁厚調整材１１に取り付けられる発光装置のための空間形成用金型１２は、壁の表面側に照明用反射板装着用の空間を形成するための打設ケース１２１に、所定の形成壁の厚さの打設コンクリートに発光装置の光導通路を形成するための鋼管１２２を溶接によって取付けた構造を有する。
【００１７】
そして、この金型１２の鋼管１２２の内径は、セパＰコン１１の補強用鋼管１１１が内挿できるように、補強用鋼管１１１の外径よりも僅かに大きく形成されている。
【００１８】
そして、本発明の打設金物１を組立てるには、壁厚調整材１１のプラスチック留具１１３を外した補強用鋼管１１１を、発光装置形成用金型１２の鋼管１２２内に挿入し、先端のネジ山を利用して、先に取外したプラスチック留具１１３を、打設ケース１２１に固定した鋼管１２２にネジ止めにより取り付けて図１に示す外壁照明用コンクリート打設金物を得る。
【００１９】
勿論、この発明に係る打設金物１は、この従来の壁厚調整材１１を利用しないで、直接、発光源と光導通路と反射装置を収納する空間をコンクリート内に形成する構造とすることもできる。この場合は、光導通路を比較的強度の高い鋼管によって形成するとともに、従来のプラスチック留具に代わる留め具を用いて、光源収納空間を形成する。
【００２０】
図４は、図１に示す壁面照明装置形成用金具１を利用してコンクリート壁を打設する状態を断面によって示す。
【００２１】
同図において、型枠板２，２１間に壁面照明装置形成用金具１の壁の前面側となる照明用打設ケース１２１の端縁に取付けたプレート１２３をボルトによって型枠板２の後面側に取り付け、壁厚調整材１１のプラスチック留具１１３の外側面をそれぞれの型枠板２１の内面に固定した状態を示す。
【００２２】
図５は、コンクリート打設ののち、壁面ＲＣから図４に示す型枠板２，２１を、また、壁内に打ち込まれた打設金物１から、壁厚調整材１１を構成するプラスチック留具１１３と補強用鋼管１１１を取り外したのちの状態を示す。同図に示すように、壁後面には、図４に示すプラスチック留具１１３によって、ＬＥＤ発光装置を設置するための空間ａが形成され、それに続いて、先の金型１２の鋼管１２２内に挿入された補強用鋼管１１１を取り除くことによって光導通路ｂが形成され、さらに、壁前面には、打設ケース１２１によって、照明用反射板装着用の空間ｃが形成されている。
【００２３】
図６は、このように壁の打設と同時に形成された空間ａ、ｂ、ｃのそれぞれに必要な装置を設置した状態を示す。先ず、壁の内側に位置する空間ａには、ＬＥＤ発光装置３が空冷機構を取り入れたプラスチック台３１上に取り付けられて配置される。また、空間ａに続く空間ｂによって、ＬＥＤ発光装置３による光を導通するための導光路４が形成され、さらに、コンクリート壁ＲＣ面に形成された空間ｃには、ＬＥＤ発光装置３によって発光され、光導通路４を経て、導入される光を反射して壁面の外面に放出するための光反射装置５が配置される。
【００２４】
この光反射装置５としては、その底面と４方側面には透明シリカ板５１を配置し、それに天井面には、フードとして、同じく透明シリカ板５１を配置し、その底面の光導通路４と接する位置には、ほぼ半球の乱反射のための透明シリカ球５２を設けられ、光反射装置５から任意の方向に、ＬＥＤ光源３による光が放出される。
【００２５】
図７は、図６に示す壁面内に形成されたＬＥＤ光源３と光導通路４と光反射装置５の基本構成の発光装置１０を示す図である。
【００２６】
図８ａ、ｂ、ｃ、ｄは、反射面の先端開口に設けられる反射板の形態を示す。このように、発光装置１０の光導通路４を通過する光の反射によって、種々の形態の光が壁面から放出される。
【産業上の利用可能性】
【００２７】
上記実施例において、壁表面の反射面は、正四角形に形成された例を示しているが、壁外面の照明、壁外面からの発光の目的に応じて、面発光面は、円形、四角その他の角状等、大きさ等の調整が可能である。
【００２８】
さらには、壁表面の反射面を、一辺が短い三角形の組み合わせにすることによって、疑似曲辺を形成することができ、比較的広い曲辺を有する反射面とし、目的に応じて、種々の形状と大きさをもつ発光面を形成することができる。
【符号の説明】
【００２９】
１  外壁照明用コンクリート打設金物（打設金物）
１１  壁厚調整材（セパＰコン）
１１１  補強用鋼管    １１２  ネジ付きボルト     １１３  プラスチック留具
１２  発光装置形成用金型
１２１  打設ケース    １２２  鋼管    １２３  
２，２１  型枠板
３  ＬＥＤ光源
３１  載置用台
４  光導通路
５  光反射装置
５１  透明シリカ板
５２  透明シリカ球
１０  発光装置
【図１】
0005442429.tif 000002
【図２】
0005442429.tif 000003
【図３】
0005442429.tif 000004
【図４】
0005442429.tif 000005
【図５】
0005442429.tif 000006
【図６】
0005442429.tif 000007
【図７】
0005442429.tif 000008
【図８】
0005442429.tif 000009